(57)【特許請求の範囲】
【請求項１】
筒状の固定ポールの所定位置にボルトを貫通させて照明器具の固定された筒状の可倒ポールを傾倒自在に連結した照明装置において、
前記固定ポールおよび前記可倒ポールのそれぞれの対向壁部に前記ボルトの貫通孔と同心の大きなケーブル通し孔を設け、一方のケーブル通し孔の周囲には凸部を設け、他方のケーブル通し孔の周囲には前記凸部が嵌まり合う形状の凹部を設けたことを特徴とする照明装置。
【請求項２】
前記凹部と前記凸部間には可倒ポールの傾倒角度を規制するストッパを設けたことを特徴とする請求項１記載の照明装置。
【請求項３】
前記ボルトは前記固定ポールおよび可倒ポールのそれぞれの幅方向の中心を貫通することを特徴とする請求項１又は２記載の照明装置。
【発明の詳細な説明】
【０００１】
【発明の属する技術分野】
本発明は、照明器具の固定された可倒ポールを有する照明装置に関する。
【０００２】
【従来の技術】
一般に、筒状の固定ポールの所定位置にボルトを貫通させて照明器具の固定された筒状の可倒ポールを傾倒自在に連結した例えば５ｍ程度の高さを有する照明装置は知られている（例えば、実公昭６３−３５４４２号公報）。
【０００３】
この種のものでは、可倒ポールを傾倒させることにより、照明器具のランプ交換等のメンテナンスを容易に行うことができるという利点がある。
【０００４】
【発明が解決しようとする課題】
しかしながら、従来の構成では、固定ポールの内部を通して給電用のケーブルを引き回し、更に可倒ポールの内部を通じて当該ケーブルを前記照明器具に接続しているので、当該ケーブルの引き回しが困難になると共に、可倒ポールを傾倒させるときに固定ポールと可倒ポール間の連結部において当該ケーブルがねじれ易くなり、遂には電気的トラブルが発生するという問題がある。
【０００５】
また固定ポールの所定位置にボルトを貫通させて可倒ポールを連結しているので、固定ポールと可倒ポール間に働くせん断力のすべてが当該ボルトにかかるので、強度的にボルトを太くしなければならないと共に、可倒ポールを傾倒させるために、きわめて大きな力が必要になるという問題がある。
【０００６】
そこで、本発明の目的は、固定ポールと可倒ポール間でのケーブルのねじれが少なく、かつ固定ポールと可倒ポール間に働くせん断力が連結用のボルトにかかることのない照明装置を提供することにある。
【０００７】
【課題を解決するための手段】
請求項１に記載の発明は、筒状の固定ポールの所定位置にボルトを貫通させて照明器具の固定された筒状の可倒ポールを傾倒自在に連結した照明装置において、前記固定ポールおよび前記可倒ポールのそれぞれの対向壁部に前記ボルトの貫通孔と同心の大きなケーブル通し孔を設け、一方のケーブル通し孔の周囲には凸部を設け、他方のケーブル通し孔の周囲には前記凸部が嵌まり合う形状の凹部を設けたことを特徴とするものである。
【０００８】
この発明によれば、固定ポールの内部を通して延びる給電用のケーブルの一端を、固定ポールの対向壁部のケーブル通し孔を通して引き出し、その一端を可倒ポールの対向壁部のケーブル通し孔を通して可倒ポールの内部に導き入れ、更に可倒ポールの内部を通じて延出し、当該ケーブルを照明器具に接続する。このケーブル通し孔の大きさを当該ケーブルの太さに対応させて大きく形成しておけば、ケーブルの引き回し作業はきわめて容易になるし、かつ固定ポールと可倒ポール間の連結部におけるケーブルのねじれは少なくなる。
【０００９】
また、一方のケーブル通し孔の周囲には環状の凸部を設け、他方のケーブル通し孔の周囲には凸部が嵌まり合う環状の凹部を設けているので、固定ポールと可倒ポール間に働くせん断力は環状の凸部にかかり、連結用のボルトにかかることはないので、当該ボルトを細くすることができ、かつ少ない力で、可倒ポールを傾倒させることができる。
【００１０】
請求項２に記載の発明は、請求項１記載のものにおいて、前記凹部と前記凸部間には可倒ポールの傾倒角度を規制するストッパを設けたものである。
【００１１】
この発明によれば、前記凹部と前記凸部間には可倒ポールの傾倒角度を規制するストッパが設けられるので、不用意に可倒ポールが倒れすぎることはなく、照明器具の破損や、可倒ポールの折損等が防止される。
【００１２】
請求項３に記載の発明は、請求項１又は２記載のものにおいて、前記連結用のボルトは、前記固定ポールおよび前記可倒ポールのそれぞれの幅方向の中心を貫通することを特徴とするものである。この発明によれば、可倒ポールの傾倒中心が固定ポールおよび可倒ポールのそれぞれの幅方向の中心であるので、可倒ポールをスムースに傾倒させることができる。
【００１３】
【発明の実施の形態】
以下、本発明の好適な実施の形態を図面に基づいて説明する。
【００１４】
図１および図２において、符号１は円筒状の基礎ポールを示す。この基礎ポール１の上部には塵埃、雨水等の浸入防止用蓋体３が設けられ、この蓋体３上には筒状の固定ポール５が溶接により固定されている。この固定ポール５の所定位置Ａには、連結用のボルト７を貫通させて、この軸心を中心に固定ポール５とほぼ同形状の筒状の可倒ポール９が傾倒自在に連結されている。
【００１５】
この可倒ポール９の先端部にはアダプタ１１が固定され、このアダプタ１１にはランプを有する照明器具１３が固定されている。
【００１６】
基礎ポール１には蓋体１４が設けられ、この蓋体１４をあけるとその内部には、図３に示すように下側から照明器具用の安定器１５、スイッチ類を収納した電装箱１７が収納されている。この電装箱１７から上方へ延びる給電用ケーブル１９の端部は、基礎ポール１の内部を上方に延出した後、固定ポール５の内部に進入し、後述するように、固定ポール５から可倒ポール９に移動し、この可倒ポール９の先端部の照明器具１３に接続されている。
【００１７】
基礎ポール１の内部には、更にウインチ２１が収納され、このウインチ２１には金属製のワイヤ２３が巻回されている。
【００１８】
このワイヤ２３の端部は、基礎ポール１の蓋体３を貫通して延出し、図１に示すように可倒ポール９の下端部に連結されている。従って、ウインチ２１でワイヤ２３を巻き取れば、図１にＢで示す状態から、ワイヤ２３が次第に巻き取られて、図１にＣで示す状態を経て、完全に巻き取られた状態では、図１にＤで示すように、可倒ポール９は固定ポール５と略平行に起立する。図１にＢで示す状態において、照明器具１３のメンテナンスが行われる。
【００１９】
この実施形態では、給電用ケーブル１９の端部を引き回して該ケーブル１９の端部を照明器具１３に接続する。この場合ケーブル１９は基礎ポール１の内部を上方に延出した後、固定ポール５の内部に進入し、更に図４に示すように所定位置Ａにおいて固定ポール５から可倒ポール９の内部に移動し、この可倒ポール９の内部を上方に延出した後に、照明器具１３に接続される。所定位置Ａは、可倒ポール９の傾倒の中心位置に相当する。
【００２０】
図４に示すように、所定位置Ａにおける固定ポール５および可倒ポール９には貫通孔２５が設けられ、この貫通孔２５にはボルト７が通されて、このボルト７の両端部には化粧ナット８が止められている。固定ポール５および可倒ポール９のそれぞれの対向壁部５ａ，９ａにはボルト７の貫通孔２５と同心の大きなケーブル通し孔２７，２９が設けられ、一方のケーブル通し孔２７の周囲には環状の凸部３１が設けられ、他方のケーブル通し孔２９の周囲には前述した凸部３１が嵌まり合う環状の凹部３３が設けられている。
【００２１】
この凹部３３に凸部３１を嵌合させた状態で、固定ポール５と可倒ポール９とをボルト７により連結しているので、固定ポール５と可倒ポール９間に働くせん断力はすべて環状の凸部３１にかかり、連結用のボルト７にかかることはないので、必要であれば当該ボルト７の太さを細くすることができるし、また、少ない力で可倒ポール９を傾倒させることができる。
【００２２】
連結用のボルト７は、固定ポール５および可倒ポール９のそれぞれの幅方向の中心を貫通する構成になっている。これによれば、可倒ポール９の傾倒中心が固定ポール５および可倒ポール９のそれぞれの幅方向の中心であるので、可倒ポール９をスムースに傾倒させることができる。
【００２３】
凹部３３と凸部３１間には、図４ないし図６に示すように、可倒ポール９の傾倒角度θ（図１）を規制するためのストッパ４１が設けられる。このストッパ４１は第一部材４３と第二部材４５とからなり、図６に示すように凸部３１の先端の所定位置に小片からなる第一部材４３が設けられ、可倒ポール９が図１に示すように所定角度θまで傾倒したとき、第一部材４３に係合する小片からなる第二部材４５（図６）が凹部３３の先端に設けられている。
【００２４】
これによれば、不用意に可倒ポール９が倒れすぎることはなく、照明器具１３の破損や、可倒ポール９の折損等が防止される。
【００２５】
この実施形態では、固定ポール５の内部を通して延びる給電用のケーブル１９の端部を、固定ポール５の対向壁部５ａのケーブル通し孔２７を通して引き出した後、その端部を可倒ポール９の対向壁部９ａのケーブル通し孔２９を通して可倒ポール９の内部に導き入れ、更に可倒ポール９の内部を通じて延出し、当該ケーブル１９を照明器具１３に接続することができる。
【００２６】
従って、このケーブル通し孔２７，２９の大きさを当該ケーブル１９の太さに対応させて大きく形成しておけば、ケーブル１９の引き回し作業はきわめて容易になるし、かつ可倒ポール９の傾倒時に固定ポール５と可倒ポール９間の連結部におけるケーブル１９のねじれは少なくなる。
【００２７】
ちなみに本実施形態ではケーブル１９の太さが直径１５ｍｍに対し、ケーブル通し孔２７，２９の大きさは直径５０ｍｍに設定され、かつボルト７の直径は１０ｍｍに設定される。従って、直径５０ｍｍのケーブル通し孔に直径１５ｍｍのケーブルと直径１０ｍｍのボルトとが混在するが、それでもケーブル１９の引き回し作業はきわめて容易であり、かつ可倒ポール９の傾倒時におけるケーブル１９のねじれは殆ど抑制されることが判明した。
【００２８】
以上、一実施形態に基づいて本発明を説明したが、本発明は、これに限定されるものでないことは明らかである。
【００２９】
例えば凸部３１および凹部３３の形状は環状に限定されるものではなく、固定ポール５と可倒ポール９間に働くせん断力のすべてを受け得る構造に形成されていればよい。また前記の実施形態では図５からも明らかなように固定ポール５および可倒ポール９の断面形状がほぼ半円形状であったが、これに限定されるものではなく例えば図７に示すようにほぼ矩形状であってもよい。
【００３０】
【発明の効果】
請求項１に記載の発明によれば、固定ポールの内部を通して延びる給電用のケーブルの一端を、固定ポールの対向壁部のケーブル通し孔を通して引き出し、その一端を可倒ポールの対向壁部のケーブル通し孔を通して可倒ポールの内部に導き入れ、更に可倒ポールの内部を通じて延出し、ケーブルを照明器具に接続することができ、このケーブル通し孔の大きさをケーブルの太さに対応させて大きく形成しておけば、ケーブルの引き回し作業をきわめて容易にし、かつ固定ポールと可倒ポール間の連結部におけるケーブルのねじれを抑制できる。
【００３１】
また、一方のケーブル通し孔の周囲には凸部を設け、他方のケーブル通し孔の周囲には凸部が嵌まり合う形状の凹部を設けているので、固定ポールと可倒ポール間に働くせん断力はすべてが凸部にかかり、連結用のボルトにかかることはないので、当該ボルトを細くすることができ、かつ少ない力で、可倒ポールを傾倒させることができる。
【００３２】
請求項２に記載の発明によれば、可倒ポールの傾倒角度を規制するストッパが設けられるので、不用意に可倒ポールが倒れすぎることはなく、照明器具の破損や、可倒ポールの折損等が防止される。
【００３３】
請求項３に記載の発明によれば、可倒ポールの傾倒中心が固定ポールおよび可倒ポールのそれぞれの幅方向の中心であるので、可倒ポールをスムースに傾倒させることができる。
【図面の簡単な説明】
【図１】本発明による照明装置の一実施形態を示す正面図である。
【図２】同じく側面図である。
【図３】基礎ポールの一部断面図である。
【図４】固定ポールと可倒ポールの連結部を示す縦断面図である。
【図５】同じく横断面図である。
【図６】同じく正面図である。
【図７】別の実施形態による図５相当図である。
【符号の説明】
１  基礎ポール
５  固定ポール
７  ボルト
９  可倒ポール
５ａ，９ａ  対向壁部
１３  照明器具
２１  ウインチ
２３  ワイヤ
２５  貫通孔
２７，２９  ケーブル通し孔
３１  凸部
３３  凹部
４１  ストッパ
４３，４５  部材
【図１】
0003997568.tif 000002
【図２】
0003997568.tif 000003
【図３】
0003997568.tif 000004
【図４】
0003997568.tif 000005
【図５】
0003997568.tif 000006
【図６】
0003997568.tif 000007
【図７】
0003997568.tif 000008